(57)【特許請求の範囲】
【請求項１】
収納棚の左右の側壁間に配置される支持部により水平位置と傾倒位置との間で回動可能に支持される回動式収納箱であって、
前記支持部は、前記収納棚の左右の側壁の前方に配置される第１支持部材と後方に配置される第２支持部材から成り、前記収納箱は両支持部材によって水平位置に支持され、第１支持部材によって回動支持、前記傾倒位置での安定保持、及び傾倒範囲を越える回動を規制する回動規制がなされることを特徴とする回動式収納箱。
【請求項２】
前記収納箱は、前記水平位置あるいは前記傾倒位置の何れの位置であっても、上方に向けて取り出し可能に構成されている請求項１に記載の回動式収納箱。
【請求項３】
前記第１支持部材は、前記収納箱の下面に形成した下方に開口する凹溝と回動可能に嵌合する円弧部と、該円弧部より下方に延びる尖頭部とで構成されている請求項１または２に記載の回動式収納箱。
【発明の詳細な説明】
【０００１】
【発明の属する技術分野】
本発明は、収納棚の左右の側壁間に配置される支持部により水平位置と傾倒位置との間で回動可能に支持される回動式収納箱に関する。
【０００２】
【従来の技術】
水平位置と傾倒位置との間で回動可能に支持される回動式収納箱として、従来、図５に示したような回動式収納箱が知られている。図５はそのような回動式収納箱の作動を説明するための断面図を示しており、この回動式収納箱１０１は、例えば合成樹脂などで上方が開口する横長直方体で構成されて、その前面には内部に収納される小物類や容器を隠蔽かつ安定状態に保持する縦長の前板１０４が設けられている。
【０００３】
この収納箱１０１は、後方下面が収納棚の背板１０５から内側に突設した支持部１０６により支持されると共に、前方下面は、下方に開口する凹溝１１０が収納棚本体の対向する両側壁１０７（一方のみ示す）から突設した丸棒状の支持軸１０８により回動可能に支持され、上方に向けて取り外し可能に構成されている。
【０００４】
【発明が解決しようとしている課題】
このように構成された従来の回動式収納箱１０１は、内部に収納されている小物類や容器を取り出す際に、支持軸１０８を中心として前方に傾倒されるが、収納箱１０１を人為的に前方に傾倒させた際に、重心位置が支持軸１０８を越えると自重により下方に向くモーメントが発生して落下するおそれがあるため、収納箱１０１を片手で保持した状態で収納物の出し入れを行わなければならない煩わしさを有している。
【０００５】
本発明は、このような問題点に着目してなされたもので、予め設定された前方への傾倒角度が規制される傾倒位置まで収納箱を回動したところで、収納箱が安定保持されて、内部に収納される収納物の出し入れを容易に行うことができるようにした回動式収納箱を提供することを目的とする。
【０００６】
【課題を解決するための手段】
上記目的を達成するために、本発明の回動式収納箱は、収納棚の左右の側壁間に配置される支持部により水平位置と傾倒位置との間で回動可能に支持される回動式収納箱であって、
前記支持部は、前記収納棚の左右の側壁の前方に配置される第１支持部材と後方に配置される第２支持部材から成り、前記収納箱は両支持部材によって水平位置に支持され、第１支持部材によって回動支持、前記傾倒位置での安定保持、及び傾倒範囲を越える回動を規制する回動規制がなされることを特徴としている。
この特徴によれば、２つの支持部材を側壁間に配置するという簡素な構成で、収納箱が水平位置にあっても傾倒位置にあっても、内部に収納される収納物を安定状態で保持すると共にその出し入れを容易に行うことができる。
【０００７】
上記回動式収納箱において、前記収納箱は、前記水平位置あるいは前記傾倒位置の何れの位置であっても、上方に向けて取り出し可能に構成されていることが好ましい。
このようにすれば、収納箱が手軽に取り外せるので、収納物の交換や清掃作業等を容易に行うことができる。
【０００９】
上記回動式収納箱において、前記第１支持部材は、前記収納箱の下面に形成した下方に開口する凹溝と回動可能に嵌合する円弧部と、該円弧部より下方に延びる尖頭部とで構成されていることが好ましい。
このようにすれば、傾斜角の異なる尖頭部を有する第１支持部材を交換するだけで、収納箱の傾倒角度を所望の角度に設定することができる。
【００１０】
【発明の実施の形態】
以下、本発明の実施例を図１〜図４に基づいて説明する。
【００１１】
図１は、本発明の回動式収納箱が取り付けられた収納棚の斜視図、図２は回動式収納箱が所定角度で開放された状態を示す斜視図、図３は第１支持部及び第２支持部によって支持される回動式収納箱を下方から視た斜視図であり、図４は収納棚の支持部に支持された回動式収納箱の断面図である。
【００１２】
図１において、符号１は収納棚を示し、この収納棚１は、例えば浴室に隣接して配置される脱衣場の出入口２側の壁面等に取り付けられて各種衣類やタオル、洗剤等を収容するために使用されており、側壁である左右の側板４ａ、４ｂおよび天板５、底板６ないし背板７により前面が開放された縦長の薄い箱形で構成されており、左右の側壁である側板４ａ、４ｂ間の上下には複数の棚板８が水平に配置されている。
【００１３】
収納棚１内の上下に配置される複数の棚板８下方には上下に本発明の回動式収納箱（以下収納箱と称する）１０ａ、１０ｂが両側板４ａ、４ｂの対向面に支持されている。
【００１４】
図２に示すように、上方の収納箱１０ａは物品の出し入れのための傾倒位置であって、この状態で安定支持され、一方下方の収納箱１０ｂは物品収納位置であって、水平状態で安定支持されている。
【００１５】
上記の収納箱１０ａ、１０ｂの具体的な構造は、図４に示すように、例えば合成樹脂などで上面が開口する断面コ字形に一体成形されており、前方には縦長の前板１２が形成されると共に後方には低い立ち上げ部１３が形成されている。
【００１６】
更に、収納箱１０ａ、１０ｂ下面の前端には下方に開口する凹溝１５が長手方向に形成されると共に、後方端部には下方に向くリブ１６が凹溝１５と並行に長手方向に延設しており、凹溝１５の上方に位置する溝底は断面円形に形成され両側には前記下面に垂直な壁面１５ａが並行に形成されている。
【００１７】
また、図４に示すように、収納箱１０ａ、１０ｂの両側板４ａ、４ｂ対向面の前後には、支持部を構成する一対の第１支持部材１８と丸軸である第２支持部材２０が取付けられており、第１支持部材１８は、上部が円弧部１８ａで下部が収納箱の回動規制を行う尖頭部１８ｂから成り、この尖頭部１８ｂは凹溝１５の一方の壁面１５ａと当接する第１当接面２４ａと他方の壁面１５ａと当接する第２当接面２４ｂを備えており、第１当接面２４ａは前記円弧部１８ａの後方に、下方に連続する垂直な面として形成され、第２当接面２４ｂは第１当接面２４ａと所定角度で交叉するように下方に傾斜する面として形成されている。
【００１８】
図３に示すように、収納箱１０ｂは、下面前方に形成される凹溝１５が両側板４ａ、４ｂ対向面の前方に配置される一対の第１支持部材１８に回動可能に挿嵌されて支持され、下面の後方はリブ１６の内側に接した状態で第２支持部材２０により水平に支持されている。
【００１９】
次に上記のようにように構成された回動式収納箱の機能につき図４を参照して説明する。
【００２０】
先ず、図４に示すように、上部に配置される収納箱１０ａは、物品収納状態を示しており、この状態では前板１２の裏面と後方の立ち上げ部１３との間に形成される載置部１４には、深底で上方が開口する直方体の収納ボックス２２が載置されおり、収納ボックス２２内には収納物として例えば洗剤等を収容した容器や化粧品等の小物類が収納されている。
【００２１】
また、下部に配置される収納箱１０ｂは、使用状態を示しており、この状態では、収納箱１０ｂを人為的に前方に傾倒させるため、一対の第１支持部材１８の円弧部１８ａで前方に回動した際、収納物が収納ボックス２２内に収納された状態で、重心位置が第１支持部材１８を越えて前方に移動すると、その自重により下方に向く（時計回り）モーメントが発生して収納箱１０ｂを支えていないと転倒してしまうが、本発明においては、人手を離しても、凹溝１５の前方の壁面１５ａが尖頭部１８ｂの第２当接面２４ｂに当接して、収納箱１０ｂのそれ以上の回動が規制され、その位置で安定保持される。尚、重心位置が第１支持部材１８を越えない場合は、人手を離した際に収納箱１０ｂは反時計回りに作用するモーメントにより、水平方向に回動して収納箱１０ｂの後方下面が第２支持部材２０により水平に支持される。
【００２２】
従って、上記のように構成された回動式収納箱によれば、収納箱１０ａ、１０ｂが、左右の対向する側板４ａ、４ｂ間の前方に配置される一対の第１支持部材１８により水平位置と前方に傾倒する傾倒位置との間で回動可能に支持され、第１支持部材１８には収納箱１０ａまたは１０ｂの傾倒範囲を規制する尖頭部１８ｂの第２当接面２４ｂが設けられているので、収納箱１０ａ、１０ｂが水平位置と前方に傾倒する傾倒位置との間で、内部に収納される収納物を安定状態で保持すると共にその出し入れを容易に行うことができる。
【００２３】
また、収納箱１０ａ、１０ｂが第１支持部材１８と第２支持部材２０より、上方に向けて取り出し可能に支持されているので、収納物の交換作業やこれら収納箱１０ａ、１０ｂの清掃作業等を容易に行うことができる。
【００２４】
更に、第１支持部材１８の尖頭部１８ｂは、第２当接面２４ｂの傾斜角度により、収納箱１０ａ、１０ｂの保持される傾倒角度が設定されるので、各種傾斜角度が異なる尖頭部を有する第１支持部材１８を適宜交換することで、収納箱１０ａ、１０ｂの保持位置を所望の角度に設定することができる。
【００２５】
以上、本発明の実施例を図面により説明してきたが、具体的な構成はこれら実施例に限られるものではなく、例えば、第１支持部材１８は一対で設けられているが、両側板４ａと４ｂ間に渡された一本の棒体にすることも可能である。また、第１支持部材１８の尖頭部１８ｂは円弧部１８ａと別部材で構成してもよい。
【００２６】
【発明の効果】
本発明によれば、次のような効果が得られる。
【００２７】
（ａ）請求項１に記載の発明によれば、収納箱が傾倒位置にあっても、２つの支持部材を側壁間に配置するという簡素な構成で、収納箱が水平位置にあっても傾倒位置にあっても、内部に収納される収納物を安定状態で保持すると共にその出し入れを容易に行うことができる。
【００２８】
（ｂ）請求項２に記載の発明によれば、収納箱が手軽に取り外せるので、収納物の交換や清掃作業等を容易に行うことができる。
【００３０】
（ｃ）請求項３に記載の発明によれば、傾斜角の異なる尖頭部を有する第１支持部材を交換するだけで、収納箱の傾倒角度を所望の角度に設定することができる。
【図面の簡単な説明】
【図１】本発明の一実施形態に係る回動式収納箱が取り付けられた収納棚の斜視図である。
【図２】回動式収納箱が所定角度で開放された状態を示す斜視図である。
【図３】第１支持部材及び第２支持部材によって支持される回動式収納箱を下方から視た斜視図である。
【図４】収納棚の支持部に支持された回動式収納箱の断面図である。
【図５】従来の回動式収納箱の断面図である。
【符号の説明】
１                    収納棚
２                    出入口
４ａ、４ｂ            側板
５                    天板
６                    底板
７                    背板
８                    棚板
１０ａ、１０ｂ        収納箱
１２                  前板
１３                  立ち上げ部
１４                  載置部
１５                  凹溝
１５ａ              壁面
１６                  リブ
１８                  第１支持部材
１８ａ              円弧部
１８ｂ              尖頭部
２０                  第２支持部材
２２                  収納ボックス
２４ａ                第１当接面
２４ｂ                第２当接面
【図１】
0003979569.tif 000002
【図２】
0003979569.tif 000003
【図３】
0003979569.tif 000004
【図４】
0003979569.tif 000005
【図５】
0003979569.tif 000006